(57)【要約】      （修正有）【課題】磁気インク文字読取手段と画像読取手段とを有する小切手類読取装置において、読取装置の大型化を抑制し、また磁気インク文字読取手段に記録媒体を確実に密着させて磁気インク文字の読み取り出力を安定させた小切手類読取装置を提供する。【解決手段】記録媒体上の磁気インク文字を読み取る磁気インク文字読取手段と、記録媒体上の画像を読み取る画像読取手段とを有し、上流側に配置された第一読取手段９における記録媒体搬送手段を第一搬送手段８ａ，８ｂ、下流側に配置された第二読取手段１７に於ける記録媒体搬送手段を第二搬送手段８ｃとしたとき、前記第一搬送手段と第二搬送手段とを記録媒体の搬送方向の長さと同じか若しくは短い間隔で配置し、前記第一搬送手段と第二搬送手段の搬送速度が異なる場合に、前記第二搬送手段において記録媒体にたるみを持たせながら搬送する。【選択図】    図１
2004206362.tif 000002
【特許請求の範囲】
【請求項１】
記録媒体上の磁気インク文字を読み取る磁気インク文字読取手段と、
記録媒体上の画像を読み取る画像読取手段とを有する小切手類読取装置であって、
前記磁気インク文字読取手段と画像読取手段のうち上流側に配置された読取手段を第一読取手段、下流側に配置された読取手段を第二読取手段とし、
前記第一読取手段における記録媒体搬送手段を第一搬送手段、前記第二読取手段に於ける記録媒体搬送手段を第二搬送手段とし、
前記第一搬送手段と第二搬送手段とは記録媒体の搬送方向の長さと同じか若しくは短い間隔で配置し、
前記第一搬送手段と第二搬送手段の搬送速度が異なる場合に、
前記第二搬送手段において記録媒体にたるみを持たせながら搬送することを特徴とする小切手類読取装置。
【発明の詳細な説明】
【０００１】
【発明の属する技術分野】
本発明は、磁気インク文字が印刷された手形または小切手類等から、磁気インク文字及び画像イメージを読み取る小切手類読取装置に関するものである。
【０００２】
【従来の技術】
従来、銀行等の金融機関に持ち込まれた手形または小切手など（以下単に小切手類という）は、紛失防止のため両面の画像を撮影し、さらに印刷されたＭＩＣＲ文字（磁気インク文字）を自動的に読み取る装置によって選別、集計され、手形交換所に持ち込まれていた。近年この手形交換所持ち込み前の作業の効率を向上させるために、小切手類に印刷されたＭＩＣＲ文字の読み取りと両面の画像イメージの読み取りの両方を行える小切手類読取装置が実用化されている。
【０００３】
該装置の画像イメージ読取部分については、近年の情報のデジタル化の流れにより、ＣＣＤやコンタクトイメージセンサ（ＣＩＳ）で読み取りを行い、画像データをデジタル処理することにより、コンピューターで簡単に情報を管理運用できるようになっている。
【０００４】
図９を参照して従来の小切手類読取装置300について説明する。ホッパー１にはＭＩＣＲ文字が印刷された小切手50が積載され、押圧板３によって給紙ローラ２へ不図示の付勢部材によって付勢される。小切手50はコントローラユニット70の指示により給紙ローラ２によりフィードローラ６側へ給紙され、分離ローラ７によって１枚づつに分離された後に用紙搬送路71へ送り出される。小切手50に印刷されたＭＩＣＲ文字は用紙搬送路71に設けられた永久磁石11によって磁化方向が整えられる。次いで、小切手50は搬送ローラ対72ａによって磁気ヘッド９へ搬送され、ＭＩＣＲ文字が読み取られる。なお、磁気ヘッド９に対向して小切手50を磁気ヘッド９に密着させるための押圧コロ73が配されている。該押圧コロは不図示の付勢手段によって、磁気ヘッド９側に付勢されている。
【０００５】
磁気ヘッド９を通過した小切手50は搬送ローラ対72ｂ、72ｃにより、画像読取センサー74に搬送され、画像読取センサー74は小切手50の両面の画像を読み取る。小切手50の画像を読み取った後、小切手50の裏面にエンドーサー19で画像を読み取った日付等を印刷し、排紙ローラ22で排紙トレイ21ａ、21ｂへ排紙する。なお、ＭＩＣＲ文字と画像を読み取られた小切手50は、ＭＩＣＲ文字の読み取り結果によりフラッパー23で用紙搬送路71を切換えて、排紙トレイ21ａ、21ｂのいずれかに選別され排紙される。
【０００６】
【発明が解決しようとする課題】
しかしながら、近年米国等では消費者へのサービスの一環として小切手の表面に多様な色やデザインを採用した小切手が用意され、消費者が自由に自分の好きな絵柄の小切手を選べるようになっている。そのため、従来の小切手類読取装置で画像を読み取った場合、小切手の使用者が書き込んだサインや振り出し金額が絵柄と重なってしまい識別がしづらいという問題が生じている。また、近年のインターネットの普及により、自分の振り出した小切手をインターネット上で確認できるというサービスを行っている銀行も出始めてきている。これらのことから、小切手類読取装置で読み取る画像のカラー化の要請がある。
【０００７】
カラーで画像を読み取る場合、読み取り用のイメージセンサーを３原色分用意する方法が考えられるが、イメージセンサーを３つ使うためコストアップとなることは必至である。そのため、コストアップを押さえるために一つのイメージセンサーに３色の光源を用意し、３色の光源を１色づつ交互に点灯し、小切手の搬送速度を遅くして画像を読み取るという方法がとられている。
【０００８】
一方、ＭＩＣＲ文字の読み取りは、磁気ヘッドで単位時間あたりの磁界の変化量を電圧に変換して行う。このため、前記の一つのイメージセンサーで搬送速度を遅くしてカラー画像を読み取る方法では、小切手の搬送速度が遅くなり、ＭＩＣＲ文字読み取り時の磁気ヘッドからの出力電圧が低下して読み取り成功率を低下させてしまうという課題が生じる。
【０００９】
この課題を解決するために、ＭＩＣＲ文字読取部と、画像イメージ読取部での搬送速度をそれぞれの読取部に適した搬送速度で搬送する方法が考えられる。その場合、ＭＩＣＲ文字及び画像イメージの読み取りの最中に搬送速度が変化すると、ＭＩＣＲ文字の文字同定が出来なくなったり、読み取り画像の読み取り倍率が途中から変わったりしてしまう。従ってＭＩＣＲ文字読取手段と画像読取手段の間隔を記録媒体の搬送方向の長さより大きくする必要があり、装置が大型化してしまうという課題が生じてしまう。
【００１０】
また、磁気ヘッドからの出力電圧を安定させるためには、磁気ヘッドに対向する位置に設けられている押圧コロの圧力が高いほど小切手が磁気ヘッドに密着し安定しやすくなるが、該押圧コロは通常回転しておらず小切手の通過に伴い連れ廻りするようになっている。したがって、磁気ヘッドの出力を安定させるため押圧コロの圧力を高くすると搬送される小切手が押圧コロと磁気ヘッドの間に入り込みづらくなり、小切手が斜行したり、紙詰まりを起こしたりする原因となってしまうため、押圧コロの圧力を高くすることが困難であった。この課題を解決するために、該押圧コロを駆動し、高い圧力でも小切手を搬送しやすくする方法が考えられるが、この場合、小切手が磁気ヘッドと押圧コロの間を通過していない時に、押圧コロと磁気ヘッドの摺動摩擦により押圧コロが振動してノイズを発生したり、押圧コロや磁気ヘッドの表面が磨耗したりするという、新たな課題が生じてしまう。
【００１１】
そこで本発明は、磁気インク文字読取手段と画像読取手段とを有する小切手類読取装置において、画像読取手段のカラー化に伴う読取装置の大型化を抑制し、また磁気インク文字読取手段に記録媒体を確実に密着させて磁気インク文字の読み取り出力を安定させた小切手類読取装置を提供することを目的としている。
【００１２】
【課題を解決するための手段】
上記課題を解決するために、本発明に係る小切手類読取装置の代表的な構成は、記録媒体上の磁気インク文字を読み取る磁気インク文字読取手段と、記録媒体上の画像を読み取る画像読取手段とを有する小切手類読取装置であって、前記磁気インク文字読取手段と画像読取手段のうち上流側に配置された読取手段を第一読取手段、下流側に配置された読取手段を第二読取手段とし、前記第一読取手段における記録媒体搬送手段を第一搬送手段、前記第二読取手段に於ける記録媒体搬送手段を第二搬送手段とし、前記第一搬送手段と第二搬送手段とは記録媒体の搬送方向の長さと同じか若しくは短い間隔で配置し、前記第一搬送手段と第二搬送手段の搬送速度が異なる場合に、前記第二搬送手段において記録媒体にたるみを持たせながら搬送することを特徴とする。
【００１３】
【発明の実施の形態】
［第一実施形態］
本発明に係る小切手類読取装置の第一実施形態について、図を用いて説明する。図１は小切手類読取装置の全体構成概略図、図２は押圧ローラ機構を説明する図、図３は押圧ローラの構成を説明する図である。
【００１４】
（装置構成の説明）
本発明にかかる小切手類読取装置100は、手形または小切手など（以下代表して小切手50とする）を読み取るものである。小切手類読取装置100は小切手50に印刷されたＭＩＣＲ文字、及び両面の画像イメージを読み取るため、ここでは小切手50をＭＩＣＲ文字の文字列方向に搬送して読み取りを行い、インターフェースケーブルで接続された不図示のコンピューターに読み取ったＭＩＣＲ文字データ及び両面の画像データを送信する。
【００１５】
小切手類読取装置100は、小切手50を積載し小切手50を装置内に送り込むためのホッパー１を備えている。このホッパー１には小切手50を装置内に給紙するための給紙ローラ２、小切手50を給紙ローラ２に付勢するための押圧板３、及びホッパー１に小切手50が積載されていることを検知するための積載検知センサー４が配されている。
【００１６】
給紙ローラ２によって給紙された小切手50はフィードローラ６によって用紙搬送路５に送出され、分離ローラ７によって一枚ずつに分離された後に、搬送ローラ対８ａ、８ｂ（第一搬送手段）によってＭＩＣＲ文字を読み取る磁気インク文字読取手段としての磁気ヘッド９（第一読取手段）の位置を搬送する。小切手50はＭＩＣＲ文字が印刷されている部分を押圧ローラ機構10によって磁気ヘッド９に密着される。用紙搬送路５の磁気ヘッド９より上流側には、小切手50上に印刷されたＭＩＣＲ文字の磁化方向を整列させる永久磁石11、ＭＩＣＲ文字を読み取るタイミングを取るための紙端検出センサー12が配置されている。また用紙搬送路５の磁気ヘッド９より下流側には、後端検知センサー13を備えている。
【００１７】
磁気ヘッド９を通過した小切手50は、搬送ローラ対８ｄを通過して、搬送ローラ対８ｃ（第二搬送手段）によって画像読取手段としての画像読取センサー17（第二読取手段）の位置へ搬送する。画像読取センサー17は、内部に３色の発光素子であるＬＥＤと、集光レンズと、受光素子を有し、カラー・白黒の両方で小切手50の両面の画像イメージを読み取り可能である。搬送ローラ８ｃには、その回転を制御する電磁クラッチ14が設けられている。また、搬送ローラ８ｃの上流側には、用紙搬送路５の一部を構成し可動ガイド16が回動可能に設けられている。
【００１８】
用紙搬送路５の画像読取センサー17より上流側には、画像読み込みのタイミングをとるためのレジストセンサ18が設けられている。また用紙搬送路５の画像読取センサー17より下流側には、画像を読み取られた小切手50に日付や小切手50が持ち込まれた金融機関の金融機関名等を裏書き印刷するためのエンドーサー19、小切手50の後端がエンドーサー19を通過したことを検出する後端検出センサー20が配置されている。
【００１９】
読み取りの終わった小切手50は、排紙ローラ22によって排紙トレイ21ａ、21ｂに排出される。また排紙ローラ22の下流側には、磁気ヘッド９で読み取ったＭＩＣＲ文字のデータから排紙される小切手50を排紙トレイ21ａ、21ｂに振り分けるため用紙搬送路を切換えるためのフラッパー23が設けられている。
【００２０】
また小切手類読取装置100には、搬送ローラ群を駆動する駆動モータ24、これらの部品を含め小切手類読取装置100全体を制御し、コンピューターとの通信を行うためのコントローラユニット25、および操作者が小切手50の画像の読み取り解像度を選択したり、小切手50の読込みを開始させる指示をコントローラユニット25に送るための操作スイッチパネル26を備えている。なお、搬送ローラ対８ｂと８ｃ間の用紙搬送路距離は、搬送される小切手50の搬送方向の長さよりも短い間隔に設定されている。
【００２１】
図２に示すように、磁気ヘッド９の押圧ローラ機構10は押圧ローラ30が支持アーム31に回転可能に支持され、回転軸32まわりに回動可能に取付けられており、加圧バネ33によって磁気ヘッド９方向に付勢されている。さらに、押圧ローラ30が不図示の駆動伝達機構により矢印Ａの方向へ回転するよう構成されている。
【００２２】
図３に示すように、押圧ローラ30は、回転軸30ａの周りに弾性体層30ｂを形成し、さらにこの弾性体層30ｂの外周に表面層30ｃを形成した構造となっている。弾性体層30ｂは、凸形状をした磁気ヘッド９の表面に小切手50を確実に密着させ、かつ、磁気ヘッド９へ小切手50を密着させた時に変形したローラ形状を復元するのに十分な硬度を持っている。表面層30ｃはポリイミド樹脂等の摩擦係数が低く、耐摩耗性に優れた材料からなる皮膜であり弾性体層30ｂに一体に形成されている。
【００２３】
読み取り画像イメージの色及び解像度については、本実施形態に係る小切手類読取装置100の場合、以下の４種のモードが選択可能であり、解像度は画像読取センサー17内に配置された３色のＬＥＤの点灯のしかたと、小切手50の搬送速度を変えることにより行う。
【００２４】
白黒高解像度：画像読取センサー17内に配置された３色のＬＥＤを同時に点灯し、搬送する。
【００２５】
白黒低解像度：画像読取センサー17内に配置された３色のＬＥＤを同時に点灯し、白黒高解像度の場合の２倍の速度で搬送する搬送する。
【００２６】
カラー高解像度：画像読取センサー17内に配置された３色のＬＥＤを交互に点灯し、白黒高解像度の場合の１／３の速度で搬送する。
【００２７】
カラー低解像度：画像読取センサー17内に配置された３色のＬＥＤを交互に点灯し、白黒低解像度の場合の１／３の速度で搬送する。
【００２８】
以上の設定から、各画像読み取り解像度と小切手搬送速度の関係は、カラー高解像度＜カラー低解像度＜白黒高解像度＜白黒低解像度、の順となっている。
【００２９】
さらに、ＭＩＣＲ文字の読み取りは、磁気ヘッド９を通過する小切手50に印刷されたＭＩＣＲ文字の単位時間あたりの磁界の変化量を磁気ヘッド９で電圧に変換して出力するので、小切手50の搬送速度が速いほど出力電圧が高くＳ／Ｎ比が良くなり読み取り成功率が向上する。本発明の場合はＭＩＣＲ文字読取部の搬送速度は、白黒高解像度モードの場合と同じ速度に設定されている。このように、本発明においては、読み取り画像の解像度に応じて、ＭＩＣＲ文字読取部と画像イメージ読取部で読み取られる小切手50を異なる搬送速度で搬送する。
【００３０】
（動作説明）
次に、その動作について説明を行う。
【００３１】
まず、ホッパー１に小切手50が積載されると、小切手50は押圧板３により給紙ローラ２に押付けられる。そして、積載検知センサー４が小切手50を認識し操作スイッチパネル26からの読み取り開始信号による小切手50の給紙が可能となる。操作者が必要とする画像読込み解像度を操作スイッチパネル26から選択し、次いで操作スイッチパネル26上の読込み開始スイッチを押すと給紙ローラ２が回転し小切手50を給紙し装置内に小切手50を給紙する。給紙された小切手50は、フィードローラ６で装置内の用紙搬送路５へ搬送される。このとき、給紙ローラ２で給紙された小切手50が複数枚であった場合、フィードローラ６に対向して配置された分離ローラ７によって１枚だけに分離され搬送される。搬送された小切手50は永久磁石11によって印刷されたＭＩＣＲ文字の磁化方向が整列させられる。なお、本発明では磁化の整列に永久磁石11を使用したが、電磁石等の別の磁化整列手段を用いてもよい。
【００３２】
次に小切手50は搬送ローラ対８ａで磁気ヘッド９へ搬送され、押圧ローラ機構10により小切手50のＭＩＣＲ文字の印刷された部分が磁気ヘッド９に密着するように押付けられ搬送される。このとき、小切手50の先端を紙端検出センサー12で検出しＭＩＣＲ文字読込みのタイミングを取り磁気ヘッド９からの出力のサンプリングを開始する。
【００３３】
ＭＩＣＲ文字を読み取られた小切手50は、搬送ローラ対８ｂによって画像読取センサー17側へ送られるが、ここで前述したように、操作者が選択した画像読み取り解像度により、小切手50は異なる手順で搬送される。以下にそれを分けて説明する。
【００３４】
｛  白黒高解像度の場合  ｝
白黒高解像度の場合は、前述したようにＭＩＣＲ文字読取部と画像イメージ部の搬送速度が同じである。
【００３５】
ＭＩＣＲ文字を磁気ヘッド９で読み取られた小切手50は搬送ローラ対８ｂにより搬送ローラ対８ｄへ搬送される、電磁クラッチ14はＯＮの状態の状態となっており駆動力を搬送ローラ対８ｃに伝達している。小切手50は搬送ローラ対８ｄで搬送され、可動ガイド16に沿ってＵターンし、搬送ローラ対８ｃに到達する。このとき、可動ガイド16は不図示の付勢手段により用紙搬送路５方向に付勢されているため、小切手50の先端が可動ガイド16を押しても可動ガイド16は回動しない。搬送ローラ対８ｃを通過した小切手50はレジストセンサ18を通過した後、画像読取センサー17に導かれる。画像読取センサー17内に配置されたＬＥＤは3色同時に点灯する。コントローラユニット25はレジストセンサ18からの信号からタイミングをとって、画像読取センサー17から画像データの読み出しを行う。
【００３６】
次いで、エンドーサー19で小切手50に日付や小切手50が持込まれた金融機関の金融機関名等の裏書き印刷を行う。コントローラユニット25は先に読み取ったＭＩＣＲ文字データを元に不図示のフラッパー23を駆動する機構に指示を出し、小切手50の通過のタイミングに合わせて、予めフラッパー23を動作させて紙搬送路を切換えておき、排紙ローラ22によって、排紙トレイ21ａ、21ｂのいずれかに排紙される。
【００３７】
｛  白黒低解像度の場合  ｝
白黒低解像度以外の場合は、前述したようにＭＩＣＲ文字読取部よりも、画像イメージ部読取部の搬送速度が早くなっている。
【００３８】
紙端検出センサー12を通過し、ＭＩＣＲ文字を磁気ヘッド９で読み取られた小切手50は、搬送ローラ対８ｂにより搬送ローラ対８ｄへ搬送される。小切手50は搬送ローラ対８ｄで搬送され、可動ガイド16に沿ってＵターンし、搬送ローラ対８ｃに到達する。このとき、電磁クラッチ14はＯＦＦになっており、小切手50は搬送ローラ対８ｃのニップに先端がかみ込んだ状態で停止する。しかし、搬送ローラ対８ｄは小切手50の後端を搬送ローラ対８ｃ側に送り続けるので、小切手50がたるみ、ループを作って滞留し、さらに、可動ガイド16を用紙搬送路５方向に付勢している不図示の付勢手段に逆らって２点鎖線に示す16ａの状態に押し上げ、搬送路５を実質的に広げ、小切手50が滞留するスペースを確保する。そして、小切手50の後端が後端検知センサー13を通過し後端が検出されると、本装置の搬送ローラ群を駆動している駆動モータ24の回転数が読み取り解像度に適した搬送速度となる回転数に変更され、次いで、電磁クラッチ14がＯＮとなり、搬送ローラ対８ｃが、設定された解像度に適した搬送速度とで回転を開始し、小切手50の搬送を開始する。
【００３９】
搬送ローラ対８ｃを通過した小切手50は、レジストセンサ18を通過した後、画像読取センサー17に導かれる。白黒で画像を読み取る場合、画像読取センサー17内に配置されたＬＥＤは3色同時に点灯する。コントローラユニット25はレジストセンサ18からの信号からタイミングをとって、画像読取センサー17から画像データの読み出しを行う。次いで、エンドーサー19で小切手50に日付や小切手50が持込まれた金融機関の金融機関名等を裏書き印刷する。コントローラユニット25は先に読み取ったＭＩＣＲ文字データを元に不図示のフラッパー23を駆動する機構に指示を出し、小切手50の通過のタイミングに合わせて、予めフラッパー23を動作させて紙搬送路を切換えておき、排紙ローラ22によって、排紙トレイ21ａ、21ｂのいずれかに排紙される。
【００４０】
｛  カラー画像読み取りの場合  ｝
カラー画像読み取りの場合は、前述したようにＭＩＣＲ文字読取部よりも、画像イメージ部読取部の搬送速度が遅くなっている。
【００４１】
紙端検出センサー12を通過し、ＭＩＣＲ文字を磁気ヘッド９で読み取られた小切手50は、搬送ローラ対８ｂにより搬送ローラ対８ｄへ搬送される。小切手50は搬送ローラ対８ｄで搬送され、可動ガイド16に沿ってＵターンし、搬送ローラ対８ｃに到達する。このとき、電磁クラッチ14はＯＦＦになっており、小切手50は搬送ローラ対８ｃのニップに先端がかみ込んだ状態で停止する。しかし、搬送ローラ対８ｄは小切手５０の後端を搬送ローラ対８ｃ側に送り続けるので、小切手50がたるみ、ループを作り滞留し、さらに、可動ガイド16を用紙搬送路５方向に付勢している不図示の付勢手段に逆らって16ａの状態に押し上げて搬送路５を実質的に広げ、小切手50が滞留するスペースを確保する。そして、小切手50の後端が後端検知センサー13を通過し後端が検出されると、本装置の搬送ローラ群を駆動している駆動モータ24の回転数が読み取り解像度に適した搬送速度となる回転数に変更され、次いで、電磁クラッチ14がＯＮとなり、搬送ローラ対８ｃが、設定された解像度に適した搬送速度とで回転を開始し、小切手50の搬送を開始する。
【００４２】
搬送ローラ対８ｃを通過した小切手50はレジストセンサ18を通過した後、画像読取センサー17に導かれる。カラーで画像を読み取る場合、画像読取センサー17内に配置されたＬＥＤは３色が交互に点灯する。コントローラユニット25はレジストセンサ18からの信号からタイミングをとって、画像読取センサー17から画像データの読み出しを行う。次いで、エンドーサー19で小切手50に日付や小切手50が持込まれた金融機関の金融機関名等を裏書き印刷する。コントローラユニット25は先に読み取ったＭＩＣＲ文字データを元に不図示のフラッパー23を駆動する機構に指示を出し、小切手50の通過のタイミングに合わせて、予めフラッパー23を動作させて紙搬送路を切換えておき、排紙ローラ22によって、排紙トレイ21ａ、21ｂのいずれかに排紙される。
【００４３】
排紙される途中、後端検知センサー20が小切手50の後端を検知すると、駆動モータ24は回転数を元に戻し、小切手50が確実に排紙トレイ21ａ、21ｂのいずれかに排紙されるように排紙ローラ22を高速で駆動する。
【００４４】
そして、ホッパー１に積載された小切手50が全て給紙されると、積載検知センサー４が紙無しを検出し、小切手類読取装置100は自動的に停止する。
【００４５】
なお、本実施形態においては、磁気ヘッド９の用紙搬送方向下流に設けた後端検知センサー13で、小切手50がＭＩＣＲ文字読取手段を通過したことを検知した後、搬送ローラ対８ｃによる搬送を開始している。しかし、搬送される小切手50の後端が磁気ヘッド９を通過している途中でも、ＭＩＣＲ文字列の後端を検出した時点で、小切手50がＭＩＣＲ文字読取手段を通過したとして、搬送ローラ対８ｃによる搬送を開始してもよい。
【００４６】
上記のような構成とすることで、ＭＩＣＲ読取手段と画像読取手段とで、記録媒体の搬送速度が異なっても、磁気インク文字読取手段と画像読取手段の間隔を記録媒体の搬送方向の長さより大きくとる必要がなくなり装置自体を大きくすることなく、また、磁気インク文字読取手段における記録媒体の搬送速度を、画像読取手段における読み取り解像度に合わせる必要も無くなるため、ＭＩＣＲ文字の読み取り成功率が高く、読み取り画像イメージをカラー化、高解像度化した小型の小切手類読取装置を提供できる。
【００４７】
また、記録媒体に印刷されたＭＩＣＲ文字を読み取る磁気ヘッドに記録媒体を密着させる押圧ローラを記録媒体搬送方向に回転駆動させ、さらに、押圧ローラの構造を、内側を弾性体層、記録媒体や磁気ヘッドに当接する表面を低摩擦部材層と、２層構造構造としたことにより、押圧ローラと磁気ヘッドの間を記録媒体が搬送されていない時でも、不要な振動や摩耗を引き起こすことなく、確実に記録媒体を磁気ヘッドに密着させることが可能となり、ＭＩＣＲ文字読み取り時の磁気ヘッド出力を安定化させた小切手類読取装置を提供できる。
【００４８】
［第二実施形態］
本発明にかかる小切手類読取装置の第二実施形態について、図を用いて説明する。図４は本実施形態に係る小切手類読取装置の全体構成概略図、図５は押圧ローラ機構を説明する図、図６は図５のＢ−Ｂ断面図であって、上記第一実施形態と説明の重複する部分については同一の符号を付して説明を省略する。
【００４９】
（装置構成）
本実施形態において小切手類読取装置200は、上記第一実施形態で備えられていた後端検知センサー13は廃止され、また、押圧ローラ機構10は押圧ローラ機構40に変更されている。搬送ローラ対８ａ、８ｂ、８ｄは駆動モータ27で、搬送ローラ対８ｃ、排紙ローラ22は駆動モータ28で、それぞれ独立して駆動される。その他の装置の構成については第一実施形態と同じである。
【００５０】
図５及び図６に示すように、押圧ローラ機構40は押圧ローラ34が支持アーム31に回転可能に支持され、回転軸32まわりに回動可能に取付けられており、加圧バネ33によって磁気ヘッド９方向に付勢されている。また、押圧ローラ34は押圧ローラ軸34ａに一体に形成され、押圧ローラ軸34ａに固定された駆動伝達ギア35ａ、支持アーム31に回転可能に配された駆動伝達ギア35ｂ、及び不図示の駆動伝達機構により図５の矢印Ａの方向へ回転する様構成されている。
【００５１】
磁気ヘッド支持部材61には、押圧ローラ34と磁気ヘッド９の間に小切手50が無い状態で、用紙搬送路５の外側で、磁気ヘッド支持部材61に回転可能に支持され、押圧ローラ軸34ａに当接するベアリング62が取付けられている。磁気ヘッド９は、ベアリング62に押圧ローラ軸34ａが当接した状態で、押圧ローラ34と磁気ヘッド９の間に、搬送される小切手50の厚さよりも少ない隙間が確保されるように、磁気ヘッド支持部材61に位置決めされ固定されている。この状態で、押圧ローラ34が駆動され回転しても押圧ローラ34は磁気ヘッド９に当接していないため、摩擦による振動が発生せず、摩耗の問題も発生しない。また、押圧ローラ34と磁気ヘッド９の隙間は搬送される小切手50の厚さよりも小さいので、小切手50が押圧ローラ34と磁気ヘッド９の間を通過する時に押圧ローラ機構40により確実に押圧され磁気ヘッド９に密着し、磁気ヘッド９の出力が安定する。
【００５２】
（動作説明）
次に、その動作について説明を行う。
【００５３】
ホッパー１に積載された小切手50が磁気ヘッド９まで搬送される動作は、押圧ローラ機構10が押圧ローラ機構40に変更されたことを除き第一実施形態と同様である。
【００５４】
ＭＩＣＲ文字を読み取られた小切手50は、搬送ローラ対８ｂによって画像読取センサー17側へ送られるが、ここで前述したように、操作者が選択した画像読み取り解像度により、小切手50は異なる手順で搬送される。以下にそれを分けて説明する。
【００５５】
｛  白黒高解像度の場合  ｝
白黒高解像度の場合は、前述したようにＭＩＣＲ文字読取部と画像イメージ部の搬送速度が同じである。
【００５６】
ＭＩＣＲ文字を磁気ヘッド９で読み取られた小切手50は搬送ローラ対８ｂにより搬送ローラ対８ｄへ搬送される、電磁クラッチ14はＯＮの状態の状態となっており駆動力を搬送ローラ対８ｃに伝達している。小切手50は搬送ローラ対８ｄで搬送され、可動ガイド16に沿ってＵターンし、搬送ローラ対８ｃに到達する。このとき、可動ガイド16は不図示の付勢手段により用紙搬送路５方向に付勢されているため、小切手50の先端が可動ガイド16を押しても可動ガイド16は回動しない。搬送ローラ対８ｃを通過した小切手50はレジストセンサ18を通過した後、画像読取センサー17に導かれる。画像読取センサー17内に配置されたＬＥＤは3色同時に点灯する。コントローラユニット25はレジストセンサ18からの信号からタイミングをとって、画像読取センサー17から画像データの読み出しを行う。次いで、エンドーサー19で小切手50に日付や小切手50が持込まれた金融機関の金融機関名等の裏書き印刷を行う。コントローラユニット25は先に読み取ったＭＩＣＲ文字データを元に不図示のフラッパー23を駆動する機構に指示を出し、小切手50の通過のタイミングに合わせて、予めフラッパー23を動作させて紙搬送路を切換えておき、排紙ローラ22によって、排紙トレイ21ａ、21ｂのいずれかに排紙される。
【００５７】
｛  白黒低解像度の場合  ｝
白黒低解像度以外の場合は、前述したようにＭＩＣＲ文字読取部よりも、画像イメージ読取部の搬送速度が速くなっている。以下にこの時の動作について説明する。紙端検出センサー12を通過し、ＭＩＣＲ文字を磁気ヘッド９で読み取られた小切手50は搬送ローラ対８ｂにより搬送ローラ対８ｄへ搬送される。搬送ローラ対８ｄは駆動モータ27によって駆動されている。小切手50は搬送ローラ対８ｄで搬送され、可動ガイド16に沿ってＵターンし、搬送ローラ対８ｃに到達する。このとき、電磁クラッチ14はＯＦＦになっており、駆動モータ28の駆動を搬送ローラ対８ｃに伝えておらず、小切手50は搬送ローラ対８ｃのニップに先端がかみ込んだ状態で停止する。しかし、搬送ローラ対８ｄは駆動モータ27によって駆動され、小切手50の後端を搬送ローラ対８ｃ側に送り続ける。その結果、小切手50がたわみループを作り、可動ガイド16を用紙搬送路５方向に付勢している不図示の付勢手段に逆らって16ａの状態に押し上げ搬送路５を実質的に広げ、小切手50が滞留するスペースを確保する。
【００５８】
さらに、紙端検出センサー12が小切手50の先端を検出してからの時間と、搬送速度から決定される小切手50の移動距離と、予めわかっている搬送ローラ対８ｂと搬送ローラ対８ｃの用紙搬送路距離とから、小切手50のループ量を検出する。そして、検出されたループ量が、小切手50の後端が搬送ローラ対８ｂにより搬送され、磁気ヘッド９を通過するまでの時間と、搬送ローラ対８ｃにより小切手50の搬送が開始され、画像イメージ読取部とＭＩＣＲ文字読取部での搬送速度の差によりループが解消されてしまうまでの時間とが少なくとも同じか、それ以上になった時点で、電磁クラッチ14をＯＮし、駆動モータ28の駆動を搬送ローラ対８ｃに伝え、設定された読み取り解像度に適した搬送速度で小切手50の搬送を再開する。そして、ＭＩＣＲ文字列の後端を検出した時点で、駆動モータ27の回転数を上げ、搬送ローラ対８ｂ、８ｄを搬送ローラ対８ｃ、排紙ローラ22と同じ搬送速度で回転させ、小切手50を搬送する。
【００５９】
搬送ローラ対８ｃを通過した小切手50はレジストセンサ18を通過した後、画像読取センサー17に導かれる。白黒で画像を読み取る場合、画像読取センサー17内に配置されたＬＥＤは3色同時に点灯する。コントローラユニット25はレジストセンサ18からの信号からタイミングをとって、画像読取センサー17から画像データの読み出しを行う。次いで、エンドーサー19で小切手50に日付や小切手50が持込まれた金融機関の金融機関名等を裏書き印刷する。コントローラユニット25は先に読み取ったＭＩＣＲ文字データを元に不図示のフラッパー23を駆動する機構に指示を出し、小切手50の通過のタイミングに合わせて、予めフラッパー23を動作させて紙搬送路を切換えておき、排紙ローラ22によって、排紙トレイ21ａ、21ｂのいずれかに排紙される。
【００６０】
｛  カラー画像読み取りの場合  ｝
カラー画像読み取りの場合は、前述したようにＭＩＣＲ文字読取部よりも、画像イメージ部読取部の搬送速度が遅くなっている。
【００６１】
紙端検出センサー12を通過し、ＭＩＣＲ文字を磁気ヘッド９で読み取られた小切手50は搬送ローラ対８ｂにより搬送ローラ対８ｄへ搬送される。小切手50は搬送ローラ対８ｄで搬送され、可動ガイド16に沿ってＵターンし、搬送ローラ対８ｃに到達する。電磁クラッチ14はＯＮされており、搬送ローラ対８ｃは、搬送ローラ対８ｄよりも遅い搬送速度で回転している。搬送速度の差により、搬送ローラ対８ｃの手前で、小切手50がたるみ、ループを作り滞留し、さらに、可動ガイド16を用紙搬送路５方向に付勢している不図示の付勢手段に逆らって可動ガイド16ａの状態に押し上げて搬送路５を実質的に広げ、小切手50が滞留するスペースを確保する。
【００６２】
搬送ローラ対８ｃを通過した小切手50はレジストセンサ18を通過した後、画像読取センサー17に導かれる。カラーで画像を読み取る場合、画像読取センサー17内に配置されたＬＥＤは３色が交互に点灯する。コントローラユニット25はレジストセンサ18からの信号からタイミングをとって、画像読取センサー17から画像データの読み出しを行う。次いで、エンドーサー19で小切手50に日付や小切手50が持込まれた金融機関の金融機関名等を裏書き印刷する。コントローラユニット25は先に読み取ったＭＩＣＲ文字データを元に不図示のフラッパー23を駆動する機構に指示を出し、小切手50の通過のタイミングに合わせて、予めフラッパー23を動作させて紙搬送路を切換えておき、排紙ローラ22によって、排紙トレイ21ａ、21ｂのいずれかに排紙される。
【００６３】
排紙される途中、後端検知センサー20が小切手50の後端を検知すると、駆動モータ28は回転数を上げ、小切手50が確実に排紙トレイ21ａ、21ｂのいずれかに排紙されるように排紙ローラ22を高速で駆動する。
【００６４】
そして、ホッパー１に積載された小切手50が全て給紙されると、積載検知センサー４が紙無しを検出し、小切手類読取装置200は自動的に停止する。
【００６５】
なお、本実施形態においては、搬送ローラ対８ｃの手前に形成される小切手50のループ量を、紙端検出センサー12が小切手50の先端を検出してからの時間と、搬送速度から決定される小切手50の移動距離と、予めわかっている搬送ローラ対８ｂと搬送ローラ対８ｃの用紙搬送路距離とから検出した。しかし、ループ量の検出はこれに限定されず、ＭＩＣＲ文字読取部と画像イメージ読取部の間に設けられた、可動ガイドの変位量を検出して行ってもよい。
【００６６】
上記説明した如く、記録媒体に印刷されたＭＩＣＲ文字を読み取る磁気ヘッドに記録媒体を密着させる押圧ローラを記録媒体搬送方向に回転駆動させ、さらに、押圧ローラと磁気ヘッドの間を記録媒体が搬送されていない状態で、押圧ローラと磁気ヘッドの間に、搬送される記録媒体の厚さよりも小さい隙間が確保される手段を備えさせることにより、押圧ローラと磁気ヘッドの間を記録媒体が搬送されていない時でも、不要な振動や摩耗を引き起こすことなく、確実に記録媒体を磁気ヘッドに密着させることが可能となり、ＭＩＣＲ文字読み取り時の磁気ヘッド出力を安定化させた小切手類読取装置を提供できる。
【００６７】
［第三実施形態］
本発明に係る小切手類読取装置の第三実施形態について、図を用いて説明する。図７は本実施形態に係る小切手類読取装置の押圧ローラ機構を説明する図、図８は図７のＣ−Ｃ断面図であって、上記各実施形態と説明の重複する部分については同一の符号を付して説明を省略する。
【００６８】
押圧ローラ機構41は図７の詳細図に示すように、押圧ローラ34が支持アーム31に回転可能に支持され、回転軸32まわりに回動可能に取付けられており、加圧バネ33によって磁気ヘッド60方向に付勢されている。また、押圧ローラ34は押圧ローラ軸34ａに一体に形成され、押圧ローラ軸34ａに固定された駆動伝達ギア35ａ、支持アーム31に回転可能に配された駆動伝達ギア35ｂ、及び不図示の駆動伝達機構により図７の矢印Ａの方向へ回転する様構成されている。押圧ローラ軸34ａには、押圧ローラ34と磁気ヘッド60の間に小切手50が無い状態で、磁気ヘッド支持部材63に当接するベアリング64が押圧ローラ軸34ａに対して回転可能に取付けられている。磁気ヘッド60は、ベアリング64が磁気ヘッド支持部材63に当接した状態で、押圧ローラ34と磁気ヘッド60の間に、搬送される小切手50の厚さよりも少ない隙間が確保されるように、磁気ヘッド支持部材63に位置決めされ固定されている。この状態で、押圧ローラ34が駆動され回転しても押圧ローラ34は磁気ヘッド60に当接していないため、摩擦による振動が発生せず、摩耗の問題も発生しない。また、押圧ローラ34と磁気ヘッド60の隙間は搬送される小切手50の厚さよりも小さいので、小切手50が押圧ローラ34と磁気ヘッド60の間を通過する時に押圧ローラ機構40により確実に押圧され磁気ヘッド60に密着し、磁気ヘッド60の出力が安定する。
【００６９】
なお、本実施形態では押圧ローラ軸34ａに設けられたベアリング64を磁気ヘッド支持部材63に当接させて、押圧ローラ34と磁気ヘッド９の間の隙間を確保した。しかし押圧ローラ34と磁気ヘッド９の間の隙間を確保する方法はこれに限定されず、押圧ローラ34を支持する支持アーム31を磁気ヘッド支持部材63に当接させてもよい。また、押圧ローラ34と磁気ヘッド９の間の一定量の隙間を確保するために、不図示の隙間調整機構を備えてもよい。
【００７０】
［実施態様１］
記録媒体上の磁気インク文字を読み取る磁気インク文字読取手段と、
記録媒体上の画像を読み取る画像読取手段とを有する小切手類読取装置であって、
前記磁気インク文字読取手段と画像読取手段のうち上流側に配置された読取手段を第一読取手段、下流側に配置された読取手段を第二読取手段とし、
前記第一読取手段における記録媒体搬送手段を第一搬送手段、前記第二読取手段に於ける記録媒体搬送手段を第二搬送手段とし、
前記第一搬送手段と第二搬送手段とは記録媒体の搬送方向の長さと同じか若しくは短い間隔で配置し、
前記第一搬送手段と第二搬送手段の搬送速度が異なる場合に、
前記第二搬送手段において記録媒体にたるみを持たせながら搬送することを特徴とする小切手類読取装置。
【００７１】
［実施態様２］
前記第一搬送手段と第二搬送手段との間の搬送路にガイド部材を有し、
前記ガイド部材は移動可能であって、前記第一搬送手段と第二搬送手段との搬送速度差により発生するたるみにあわせて搬送路の幅を変化させることを特徴とする実施態様１記載の小切手類読取装置。
【００７２】
［実施態様３］
前記第二搬送手段の上流側に記録媒体の搬送を停止する記録媒体停止手段を備え、
前記第一搬送手段と第二搬送手段の搬送速度が異なる場合に、
前記記録媒体停止手段によって記録媒体先端を停止させ、
記録媒体先端が停止した状態で前記第一搬送手段で搬送して記録媒体に所定量のたるみを持たせた後に、
前記記録媒体停止手段による停止を解除し、前記第二搬送手段によって搬送を行うことを特徴とする実施態様１記載の小切手類読取装置。
【００７３】
［実施態様４］
前記第一搬送手段の下流側に記録媒体を検出する検出手段を備え、
前記第一搬送手段と第二搬送手段の搬送速度が異なる場合に、
前記記録媒体停止手段によって記録媒体先端を停止させ、
記録媒体先端が停止した状態で前記第一搬送手段で搬送して記録媒体にたるみを持たせ、
記録媒体の後端が前記第一読取手段を通過したことを検出した後に、
前記記録媒体停止手段による停止を解除し、前記第二搬送手段によって搬送を行うことを特徴とする実施態様３記載の小切手類読取装置。
【００７４】
［実施態様５］
前記検出手段とは、第一読取手段であって、該第一読取手段からの読取出力を元に検出を行うことを特徴とする実施態様４記載の小切手類読取装置。
【００７５】
［実施態様６］
前記記録媒体停止手段によって形成されるたるみの量を検出するたるみ量検出手段を備え、
前記たるみ量検出手段が所定量のたるみを検出した後に、
前記記録媒体停止手段による停止を解除し、前記第二搬送手段によって搬送を行うことを特徴とする実施態様３記載の小切手類読取装置。
【００７６】
［実施態様７］
前記たるみ量検出手段は、
記録媒体の搬送時間を計測する手段、または、記録媒体の搬送距離を計測する手段であることを特徴とする実施態様６記載の小切手類読取装置。
【００７７】
［実施態様８］
前記たるみ量検出手段は、
前記ガイド部材の変位を検出する変位量検出手段であることを特徴とする実施態様６記載の小切手類読取装置。
【００７８】
［実施態様９］
前記磁気インク文字読取手段は、磁気インク文字を磁気的に読み取る磁気ヘッドと、記録媒体を該磁気ヘッドに押圧する押圧手段とを備え、
前記押圧手段は、回転可能な押圧ローラと、該押圧ローラを支持する支持部剤と、該押圧ローラを磁気ヘッドに付勢する付勢手段とを備え、
前記押圧ローラは、記録媒体搬送方向に回転駆動され、かつ、内側の弾性体層と、表面の低摩擦部材層とからなる二層構造となっていることを特徴とする実施態様１記載の小切手類読取装置。
【００７９】
［実施態様１０］
前記磁気インク文字読取手段は、記録媒体を搬送していない状態において、前記記録ヘッドと押圧ローラとの間に、記録媒体の厚さよりも小さい隙間を形成していることを特徴とする実施態様９記載の小切手類読取装置。
【００８０】
【発明の効果】
上記説明した如く、本発明に係る小切手類読取装置においては、磁気インク文字読取手段と画像読取手段とで、記録媒体の搬送速度が異なっても、磁気インク文字読取手段と画像読取手段の間隔を記録媒体の搬送方向の長さより大きくとる必要がなくなるため、装置全体を小型化した小切手類読取装置を提供することができる。また、磁気インク文字読取手段における記録媒体の搬送速度を、画像読取手段における読み取り解像度に合わせる必要がないので、ＭＩＣＲ文字の読み取り成功率が高く、読み取り画像イメージをカラー化、高解像度化した小型の小切手類読取装置を提供できる。
【００８１】
また、磁気インク文字読取手段に記録媒体を密着させる押圧ローラと磁気ヘッドの間に、記録媒体が搬送されていない状態で記録媒体の厚さよりも小さい隙間が確保されるよう構成したことにより、押圧ローラと磁気ヘッドの摺動により不要な振動や摩耗を引き起こすことなく、確実に記録媒体を磁気ヘッドに密着させることが可能となり、ＭＩＣＲ文字読み取り時の磁気ヘッド出力を安定化させた小切手類読取装置を提供できる。
【図面の簡単な説明】
【図１】第一実施形態に係る小切手類読取装置の全体構成概略図である。
【図２】押圧ローラ機構を説明する図である。
【図３】押圧ローラの構成を説明する図である。
【図４】第二実施形態に係る小切手類読取装置の全体構成概略図である。
【図５】押圧ローラ機構を説明する図である。
【図６】図５のＢ−Ｂ断面図である。
【図７】本実施形態に係る小切手類読取装置の押圧ローラ機構を説明する図である。
【図８】図７のＣ−Ｃ断面図である。
【図９】従来の小切手類読取装置を説明する図である。
【符号の説明】
１    …ホッパー
２    …給紙ローラ
３    …押圧板
４    …積載検知センサー
５    …用紙搬送路
６    …フィードローラ
７    …分離ローラ
８ａ〜ｄ …搬送ローラ対
９    …磁気ヘッド
10    …押圧ローラ機構
11    …永久磁石
12    …紙端検出センサー
13    …後端検知センサー
14    …電磁クラッチ
16    …可動ガイド
17    …画像読取センサー
18    …レジストセンサ
19    …エンドーサー
20    …後端検出センサー
21ａ、21ｂ  …排紙トレイ
22    …排紙ローラ
23    …フラッパー
24    …駆動モータ
25    …コントローラユニット
26    …操作スイッチパネル
27、28    …駆動モータ
30    …押圧ローラ
30ａ  …回転軸
30ｂ  …弾性体層
30ｃ  …表面層
31    …支持アーム
32    …回転軸
33    …加圧バネ
34    …押圧ローラ
34ａ  …押圧ローラ軸
35ａ、35ｂ  …駆動伝達ギア
40、41    …押圧ローラ機構
50    …小切手
60    …磁気ヘッド
61、63    …磁気ヘッド支持部材
62、64    …ベアリング
70    …コントローラユニット
71    …用紙搬送路
72ａ〜72ｃ  …搬送ローラ対
73    …押圧コロ
74    …画像読取センサー
100〜300   …小切手類読取装置
【図１】
2004206362.tif 000003
【図２】
2004206362.tif 000004
【図３】
2004206362.tif 000005
【図４】
2004206362.tif 000006
【図５】
2004206362.tif 000007
【図６】
2004206362.tif 000008
【図７】
2004206362.tif 000009
【図８】
2004206362.tif 000010
【図９】
2004206362.tif 000011